(57)【要約】  【解決手段】  単一のスライダー本体を有する分離型スライドファスナーを、寝具用品のカバー、ボート用または自動車用カバーなどの大規模用途に関連して使用するために実施することができる。例示的な実施形態において、寝具用品のカバーは、第１のスライドファスナーテープを有する第１のカバー部分と、第２のスライドファスナーテープを有する第２のカバー部分と、前記第１のスライドファスナーテープおよび前記第２のスライドファスナーテープに沿って操作自在に構成された単一のスライダー本体であって、前記スライドファスナーの務歯の第１の列を前記スライドファスナーの務歯の第２の列と少なくとも実質的にかみ合った配置することにより、前記分離型スライドファスナーを閉じた形状に配置し、寝具用品の周囲の前記第１のカバー部分を前記第２のカバー部分と組み合わせるものである、前記単一のスライダー本体とを含む。前記分離型スライドファスナーが前記閉じた形状にあるとき、前記単一のスライダー本体は、さらに、前記第１のスライドファスナーテープの前記可撓性上止具を通過して操作自在に構成されているものであり、これにより、前記第１のスライドファスナーテープまたは前記第２のスライドファスナーテープのうちの少なくとも一方に加えられる引張力によって前記スライドファスナーの務歯の第１の列が前記スライドファスナーの務歯の第２の列から分離自在となり、前記第１のカバー部分を前記第２のカバー部分から取り外すことが容易になる。  【選択図】      図３
2017529167.tif 000002
【特許請求の範囲】
【請求項１】
寝具用品のカバーであって、
前記カバー取り付けられた分離型スライドファスナーの第１のスライドファスナーテープを有する第１のカバー部分であって、前記第１のスライドファスナーテープはスライドファスナーの務歯の第１の列と、当該スライドファスナーの務歯の第１の列の端部に設けられた可撓性上止具とを含むものである、前記第１のカバー部分と、
前記カバー取り付けられた分離型スライドファスナーの第２のスライドファスナーテープを有する第２のカバー部分であって、前記第２のスライドファスナーテープはスライドファスナーの務歯の第２の列と、当該スライドファスナーの務歯の第２の列の端部に設けられた非可撓性上止具とを含むものである、前記第２のカバー部分と、
前記第１のスライドファスナーテープおよび前記第２のスライドファスナーテープに沿って操作自在に構成された単一のスライダー本体であって、前記スライドファスナーの務歯の第１の列を前記スライドファスナーの務歯の第２の列と少なくとも実質的にかみ合った配置にすることにより、前記分離型スライドファスナーを閉じた形状に配置し、寝具用品の周囲の前記第１のカバー部分を前記第２のカバー部分と組み合わせるものである、前記単一のスライダー本体と
を有し、
前記分離型スライドファスナーが前記閉じた形状にあるとき、前記単一のスライダー本体は、さらに、前記第１のスライドファスナーテープの前記可撓性上止具を通過して操作自在に構成されているものであり、これにより、前記第１のスライドファスナーテープまたは前記第２のスライドファスナーテープのうちの少なくとも一方に加えられる引張力によって前記スライドファスナーの務歯の第１の列が前記スライドファスナーの務歯の第２の列から分離自在となり、前記第１のカバー部分を前記第２のカバー部分から取り外すことが容易になるものである、
寝具用品のカバー。
【請求項２】
請求項１記載の寝具用品のカバーにおいて、前記寝具用品はベッド用のマットレスである、カバー。
【請求項３】
請求項１記載の寝具用品のカバーにおいて、前記寝具用品は布団クッションである、カバー。
【請求項４】
請求項１記載の寝具用品のカバーにおいて、前記寝具用品は枕である、カバー。
【請求項５】
請求項１記載の寝具用品のカバーにおいて、前記スライドファスナーの務歯の第１および第２の列におけるスライドファスナーの務歯はコイル型務歯である、カバー。
【請求項６】
請求項１記載の寝具用品のカバーにおいて、前記分離型スライドファスナーが前記閉じた形状に配置されているとき、前記可撓性上止具は、前記非可撓性上止具の位置からオフセットされた位置に配置されているものである、カバー。
【請求項７】
請求項１記載の寝具用品のカバーにおいて、前記単一のスライダー本体は、さらに、前記第２のスライドファスナーテープの前記非可撓性上止具を通過して操作することができないように構成されているものである、カバー。
【請求項８】
請求項１記載の寝具用品のカバーにおいて、前記引張力は、前記分離型スライドファスナーが前記閉じた形状にあるときに前記単一のスライダー本体が前記第１のスライドファスナーテープおよび前記第２のスライドファスナーテープに沿って操作自在である方向によって画定される軸に対して所定の角度で加えられる力である、カバー。
【請求項９】
寝具用品のカバーの少なくとも一部分を除去する方法であって、
（ａ）寝具用品を提供する工程であって、この寝具用品は、その上部に配置された第１のカバー部分とその底部に配置された第２のカバー部分とからなるカバーによって少なくとも実質的に完全に包囲されているものであり、
（ｉ）前記第１のカバー部分は、当該カバー部分に取り付けられた分離型スライドファスナーの第１のスライドファスナーテープを含み、前記第１のスライドファスナーテープはスライドファスナーの務歯の第１の列と、当該スライドファスナーの務歯の第１の列の端部に設けられた可撓性上止具とを含み、
（ｉｉ）前記第２のカバー部分は、当該カバー部分に取り付けられた分離型スライドファスナーの第２のスライドファスナーテープを含み、前記第２のスライドファスナーテープはスライドファスナーの務歯の第２の列と、当該スライドファスナーの務歯の第２の列の端部に設けられた非可撓性上止具とを含み、
（ｉｉｉ）前記スライドファスナーの務歯の第１の列は前記スライドファスナーの務歯の第２の列と少なくとも実質的にかみ合った配置にあり、それにより、前記第１のカバー部分と前記第２のカバー部分が組み合わされるものである、
前記提供する工程と、
（ｂ）前記第１のスライドファスナーテープおよび前記第２のスライドファスナーテープに沿って前記分離型スライドファスナーの単一のスライダー本体を操作して当該単一のスライダー本体を前記第１のスライドファスナーテープの前記可撓性上止具に位置付ける工程と、
（ｃ）前記単一のスライダー本体を前記第１のスライドファスナーテープの前記可撓性上止具を通過するまで引くことにより、前記単一のスライダー本体を前記第１のスライドファスナーテープから係合解除する工程と、
（ｄ）前記第１のスライドファスナーテープおよび前記第２のスライドファスナーテープのうちの少なくとも一方に引張力を加えて前記スライドファスナーの務歯の第１の列を前記スライドファスナーの務歯の第２の列から分離させることにより前記第１のカバー部分を前記第２のカバー部分から取り外す工程と
を有する方法。
【請求項１０】
請求項９記載の方法において、前記寝具用品はベッド用のマットレスである、方法。
【請求項１１】
請求項９記載の方法において、前記寝具用品は布団クッションである、方法。
【請求項１２】
請求項９記載の方法において、前記寝具用品は枕である、方法。
【請求項１３】
請求項９記載の方法において、前記スライドファスナーの務歯の第１および第２の列におけるスライドファスナーの務歯はコイル型務歯である、方法。
【請求項１４】
請求項９記載の方法において、前記単一のスライダー本体は、前記第２のスライドファスナーテープの前記非可撓性上止具を通過して操作することができないように構成されているものである、方法。
【請求項１５】
請求項１４記載の方法において、前記第１のカバー部分が前記第２のカバー部分から分離されたとき、前記単一のスライダー本体は前記第２のスライドファスナーテープとの係合を維持するものである、方法。
【請求項１６】
請求項９記載の方法において、前記引張力を加える工程は、前記分離型スライドファスナーが閉じた形状であるときに前記単一のスライダー本体が前記第１のスライドファスナーテープおよび前記第２のスライドファスナーテープに沿って操作自在である方向によって画定される軸に対して所定の角度で引張力を加える工程を含むものである、方法。
【請求項１７】
寝具用品のカバーの一部分を交換する方法であって、
（ａ）寝具用品を提供する工程であって、この寝具用品は、その上部に配置された第１のカバー部分とその底部に配置された第２のカバー部分とからなるカバーによって少なくとも実質的に完全に包囲されているものであり、
（ｉ）前記第１のカバー部分は、当該カバー部分に取り付けられた分離型スライドファスナーの第１のスライドファスナーテープを含み、前記第１のスライドファスナーテープはスライドファスナーの務歯の第１の列と、当該スライドファスナーの務歯の第１の列の端部に設けられた可撓性上止具とを含み、
（ｉｉ）前記第２のカバー部分は、当該カバー部分に取り付けられた分離型スライドファスナーの第２のスライドファスナーテープを含み、前記第２のスライドファスナーテープはスライドファスナーの務歯の第２の列と、当該スライドファスナーの務歯の第２の列の端部に設けられた非可撓性上止具とを含み、
（ｉｉｉ）前記スライドファスナーの務歯の第１の列は前記スライドファスナーの務歯の第２の列と少なくとも実質的にかみ合った配置にあり、それにより、前記第１のカバー部分と前記第２のカバー部分が組み合わされるものである、
前記提供する工程と、
（ｂ）前記第１のスライドファスナーテープおよび前記第２のスライドファスナーテープに沿って前記分離型スライドファスナーの単一のスライダー本体を操作して当該単一のスライダー本体を前記第１のスライドファスナーテープの前記可撓性上止具に位置付ける工程と、
（ｃ）前記単一のスライダー本体を前記第１のスライドファスナーテープの前記可撓性上止具を通過するまで引くことにより、前記単一のスライダー本体を前記第１のスライドファスナーテープから係合解除する工程と、
（ｄ）前記第１のスライドファスナーテープおよび前記第２のスライドファスナーテープのうちの少なくとも一方に引張力を加えて前記スライドファスナーの務歯の第１の列を前記スライドファスナーの務歯の第２の列から分離させることにより前記第１のカバー部分を前記第２のカバー部分から取り外す工程と、
（ｅ）前記取り外された第１のカバー部分を交換用の第１のカバー部分と交換する工程であって、前記交換用の第１のカバー部分は、前記第２のカバー部分における前記スライドファスナーの務歯の第２の列の務歯のピッチと一致する務歯のピッチを有するスライドファスナーの務歯を有するように構成されているものである、前記交換する工程と
を有する方法。
【請求項１８】
請求項１７記載の方法において、前記寝具用品はベッド用のマットレスである、方法。
【請求項１９】
請求項１７記載の方法において、前記引張力を加える工程は、前記分離型スライドファスナーが閉じた形状であるときに前記単一のスライダー本体が前記第１のスライドファスナーテープおよび前記第２のスライドファスナーテープに沿って操作自在である方向によって画定される軸に対して所定の角度で引張力を加える工程を含むものである、方法。
【請求項２０】
請求項１７に記載の方法において、さらに、
前記交換用の第１のカバー部分のスライドファスナーテープ上に配置された蝶棒を前記第２のカバー部分の前記第２のスライドファスナーテープ上に配置された箱で固定する工程と、
前記交換用の第１のカバー部分の前記スライドファスナーテープおよび前記第２のスライドファスナーテープに沿って前記単一のスライダー本体を操作して前記交換用の第１のカバー部分のスライドファスナーの務歯の列を前記第２のカバー部分の前記スライドファスナーの務歯の第２の列と少なくとも実質的にかみ合った配置にすることにより、前記寝具用品の周囲の前記交換用の第１のカバー部分を前記第２のカバー部分と組み合わせる工程と
を有するものである、方法。
【請求項２１】
ボートのコックピット用カバーアセンブリであって、
周辺縁部に沿って取り付けられた分離型スライドファスナーの第１のスライドファスナーテープを有する少なくとも１つのパネルであって、前記第１のスライドファスナーテープは、スライドファスナーの務歯の第１の列と、当該スライドファスナーの務歯の第１の列の端部に設けられた可撓性上止具とを含むものである、前記少なくとも１つのパネルと、
ボートのコックピットのパネル取り付け部位の縁部に取り付けられた分離型スライドファスナーの第２のスライドファスナーテープであって、前記第２のスライドファスナーテープは、スライドファスナーの務歯の第２の列と、当該スライドファスナーの務歯の第２の列の端部に設けられた非可撓性上止具とを含むものである、前記第２のスライドファスナーテープと、
前記第１のスライドファスナーテープおよび前記第２のスライドファスナーテープに沿って操作自在に構成された単一のスライダー本体であって、前記スライドファスナーの務歯の第１の列を前記スライドファスナーの務歯の第２の列と少なくとも実質的にかみ合った配置にすることにより、前記分離型スライドファスナーを閉じた形状に配置し、前記少なくとも１つのパネルを前記パネル取り付け部位と組み合わせるものである、前記単一のスライダー本体と
を有し、
前記分離型スライドファスナーが前記閉じた形状であるとき、前記単一のスライダー本体は、さらに、前記第１のスライドファスナーテープの前記可撓性上止具を通過して操作自在に構成されているものであり、これにより、前記第１のスライドファスナーテープまたは前記第２のスライドファスナーテープのうちの少なくとも一方に加えられる引張力によって前記スライドファスナーの務歯の第１の列が前記スライドファスナーの務歯の第２の列から分離自在となり、前記パネルを前記ボートのコックピットの前記パネル取り付け部位から取り外すことが容易になるものである、
ボートのコックピット用カバーアセンブリ。
【請求項２２】
請求項２１記載のボートのコックピット用カバーアセンブリにおいて、前記スライドファスナーの務歯の第１および第２の列におけるスライドファスナーの務歯はコイル型務歯である、ボートのコックピット用カバーアセンブリ。
【請求項２３】
請求項２１記載のボートのコックピット用カバーアセンブリにおいて、前記分離型スライドファスナーが前記閉じた形状に配置されているとき、前記可撓性上止具は、前記非可撓性上止具の位置からオフセットされた位置に配置されているものである、ボートのコックピット用カバーアセンブリ。
【請求項２４】
請求項２１記載のボートのコックピット用カバーアセンブリにおいて、前記単一のスライダー本体は、前記第２のスライドファスナーテープの前記非可撓性上止具を通過して操作することができないように構成されているものである、ボートのコックピット用カバーアセンブリ。
【請求項２５】
請求項２１記載のボートのコックピット用カバーアセンブリにおいて、前記引張力は、前記分離型スライドファスナーが前記閉じた形状にあるときに前記単一のスライダー本体が前記第１のスライドファスナーテープおよび前記第２のスライドファスナーテープに沿って操作自在である方向によって画定される軸に対して所定の角度で加えられる力である、ボートのコックピット用カバーアセンブリ。
【請求項２６】
請求項２１記載のボートのコックピット用カバーアセンブリにおいて、前記少なくとも１つのパネルは、前記ボートのコックピットの一部分を覆うように構成されているものである、ボートのコックピット用カバーアセンブリ。
【請求項２７】
請求項２１記載のボートのコックピット用カバーアセンブリにおいて、前記少なくとも１つのパネルは、実質的に前記ボートのコックピットの全体を覆うように構成されているものである、ボートのコックピット用カバーアセンブリ。
【請求項２８】
請求項２１記載のボートのコックピット用カバーアセンブリにおいて、前記少なくとも１つのパネルは、複数のパネルを含むものである、ボートのコックピット用カバーアセンブリ。
【請求項２９】
ボートのコックピットからカバーを除去する方法であって、
（ａ）少なくとも１つのパネルからなるカバーおよびボートのコックピットのパネル取り付け部位を提供する工程であって、
（ｉ）前記少なくとも１つのパネルは、その周辺縁部に沿って取り付けられた分離型スライドファスナーの第１のスライドファスナーテープを含み、前記第１のスライドファスナーテープはスライドファスナーの務歯の第１の列と、当該スライドファスナーの務歯の第１の列の端部にある可撓性上止具とを含み、
（ｉｉ）前記ボートのコックピットの前記パネル取付け部位はその縁部に取り付けられた分離型スライドファスナーの第２のスライドファスナーテープを含み、前記第２のスライドファスナーテープはスライドファスナーの務歯の第２の列と、当該スライドファスナーの務歯の第２の列の端部に設けられた非可撓性上止具とを含み、
（ｉｉｉ）前記スライドファスナーの務歯の第１の列は前記スライドファスナーの務歯第２の列と少なくとも実質的にかみ合った配置にあり、それにより、前記少なくとも１つのパネルが前記パネル取り付け部位と連結されるものである、
前記提供する工程と、
（ｂ）前記記第１のスライドファスナーテープおよび前記第２のスライドファスナーテープに沿って前記分離型スライドファスナーの単一のスライダー本体を操作して当該単一のスライダー本体を前記第１のスライドファスナーテープの前記可撓性上止具に位置付ける工程と、
（ｃ）前記単一のスライダー本体を前記第１のスライドファスナーテープの前記可撓性上止具を通過するまで引くことにより、前記単一のスライダー本体を前記第１のスライドファスナーテープから係合解除する工程と、
（ｄ）前記第１のスライドファスナーテープおよび前記第２のスライドファスナーテープのうちの少なくとも一方に引張力を加えて前記スライドファスナーの務歯の第１の列を前記スライドファスナーの務歯の第２の列から分離させることにより前記少なくとも１つのパネルを前記パネル取り付け部位から離脱させ、前記カバーを前記ボートのコックピットから除去することを容易にする工程と
を有する方法。
【請求項３０】
請求項２９記載の方法において、前記スライドファスナーの務歯の第１および第２の列におけるスライドファスナーの務歯はコイル型務歯である、方法。
【請求項３１】
請求項２９記載の方法において、前記単一のスライダー本体は、前記第２のスライドファスナーテープの前記非可撓性上止具を通過して操作することができないように構成されているものである、方法。
【請求項３２】
請求項３１記載の方法において、前記少なくとも１つのパネルが前記パネル取り付け部位から離脱したときに、前記単一のスライダー本体は前記第２のスライドファスナーテープとの係合を維持するものである、方法。
【請求項３３】
請求項２９記載の方法において、前記引張力を加える工程は、前記分離型スライドファスナーが閉じた形状であるときに前記単一のスライダー本体が前記第１のスライドファスナーテープおよび前記第２のスライドファスナーテープに沿って操作自在である方向によって画定される軸に対して所定の角度で引張力を加える工程を含むものである、方法。
【請求項３４】
請求項２９記載の方法において、前記少なくとも１つのパネルは、前記ボートのコックピットの一部分を覆うように構成されているものである、方法。
【請求項３５】
請求項２９記載の方法において、前記少なくとも１つのパネルは、実質的に前記ボートのコックピットの全体を覆うように構成されているものである、方法。
【請求項３６】
請求項２９記載の方法において、前記少なくとも１つのパネルは、複数のパネルを含むものである、方法。
【発明の詳細な説明】
【技術分野】
【０００１】
米国の目的上、本出願は、２０１５年９月２２日付で出願された米国特許非仮出願第１４，８６１，４６８号の米国特許継続出願であり、米国特許法第１２０条の下に同非仮出願に対して優先権を主張し、２０１４年９月２４日付で出願された米国特許仮出願第６２／０５４，４４６号の米国特許非仮出願であり、米国特許法第１１９条（ｅ）項の下に同仮出願に対して優先権を主張するものである。前述の特許出願の各々およびそのすべての出願公開は、この参照によりその全部が本明細書内に明示的に組み込まれる。
【０００２】
本特許文書内の内容のすべては、米国およびその他の国の著作権法の下における著作権保護の対象である。著作権保有者は、任意の人物による、政府の公式記録に記載されている通りの特許文書または特許開示の複製に異議はないものの、その外一切に関しては著作権を保有する。
【０００３】
本発明は、スライドファスナー（例えば、ジッパー）に関し、特に、マットレスカバー、ボート用または自動車用カバーなどの大規模用途に関連して使用するために実施することのできる、単一のスライダー本体を有するスライドファスナーに関する。
【背景技術】
【０００４】
単一のスライダー本体の代わりに１対のスライダー本体（両方向ジッパー）を利用した大規模スライドファスナーの適用が数多く存在し、これらがより一般的である。２個のスライダー本体を有するスライドファスナーは、例えば、マットレスカバー、自動車用ソフトトップカバー、ボート用カバーなどの大規模用途における非常に長いジッパーの使用を簡素化する利点を有する。２個のスライダー本体は相互に反対方向に動作するので、各々のスライダー本体はファスナーで閉じる対象となる物品の周りをほぼ半周だけ引けばよい。しかし、２個のスライダー本体を有するスライドファスナーは単一のスライダー本体を有するスライドファスナーよりも複雑で高価であり、また製造するうえでも高価となる場合がある。
【０００５】
単一のスライダー本体を有するスライドファスナーもまた、上述のような大規模用途に使用するために実施することができる。例えば、単一のスライダー本体を有するスライドファスナーを、マットレスの周りにマットレスカバーを固定するために使用することができる。このような用途において、単一のスライダー本体を有するスライドファスナーは、通常、覆うべきマットレスの製造場所で取り付けられ使用される。多くの場合、スライドファスナーは、マットレスの周りのカバーの縫製などのより恒久的な解決法の代替策として使用される。
【０００６】
一般的な寝具用品の製造に関して、スライドファスナーは時として、洗濯もしくは交換のためにカバーを除去することを可能とし、または用品の充填材もしくは内部要素へのアクセスを容易にするための締結機構として選択される。その他の場合では、スライドファスナーは、労務費の安いの国でカバーが作製および／または縫製され、その後労務費は高いものの最終消費者が在住する国に平らにした状態で出荷される（したがって輸送費の削減を提供することができる）ことから選択される。しかし、いずれの状況においても、スライドファスナーは、一般的に、非常にまれに、または品物の耐用年数の間に一度だけ使用することが意図されている。この結果、スライドファスナーは、（スライドファスナーを繰り返して開閉することが意図されていないので、）多くの場合、低品質のスライダー本体と引手とを含んでいる。
【０００７】
寝具用途（特にマットレスカバー）に関連して使用される一般的な公知のスライドファスナーは、一般的に、スライドファスナーの初期の閉じ強さに重点を置いて製造される。寝具用品の製造時に最初に閉じられた後でのスライドファスナーの可用性は、通常、ほとんど考慮されない。マットレスの周りのカバーのフィット具合は、多くの場合、非常にぴったりとしており、このため、マットレスの周りにスライドファスナーをきちんと閉じるためには、製造者がカバーの半分ずつを精密に位置合わせする必要がある。このようなスライドファスナーは横方向に高い強度を有し、スライドファスナーの務歯がマットレスの予想耐用年数期間内に分離することを防止することができるかもしれないが、スライダー本体、引手、およびその他のアセンブリ機構は、組み立て費用を最低限に抑えるために低品質であることが多い。
【０００８】
マットレスのスライドファスナーは製造時にのみ使用することが意図されているので、マットレスの周りにカバーが確実にフィットするための精密な位置合わせの要件は、一般的にはあまり大きな負担とはならない。しかし、一旦マットレスが最終消費者の下に至ると、スライドファスナーを使用する試みは多くの動作上の困難を呈する場合がある。マットレスの角部に対してスライドファスナーの下止具が何処に縫い付けられているかによっては、最終消費者がジッパーを多少とも操作することが非常に困難となるかもしれない。例えば、下止具が角部に取り付けられている場合、対向するジッパーテープからのスライドファスナーの務歯が相互に係合するように、最終消費者が止具を位置合わせすることが極めて困難となるかもしれない。さらに、マットレスがベッドフレームにぴったりとフィットする場合、またはベッドフレームが壁部に対して配置されている場合、トップカバーを除去するためには、スライダー本体にアクセスしてそれをマットレスの周囲に沿って完全に引くことができるように、最終消費者はマットレスを傾け、またはマットレスを壁部から引き離さなければならないかもしれない。またさらに、スライダー本体および／または引手が低品質である場合、最終消費者がマットレスカバーを解くと、スライドファスナーが恒久的に壊れ、ないしはその他の理由で使用不能となる可能性がある。
【０００９】
したがって、マットレスカバー、ボート用または自動車用カバーなどの大規模用途に使用するために実施されるスライドファスナーの分野において、改善の必要が存在する。さらには、消費者が容易に使用でき、かつ複数回にわたって操作することのできる、大規模用途に取り付けられた改善されたスライドファスナーの必要が存在する。これらおよびその他の必要は、本発明の１もしくはそれ以上の観点によって対処される。
【発明の概要】
【課題を解決するための手段】
【００１０】
本発明のいくつかの例示的な実施形態は、上述の不利点および上述されていないその他の不利点のうちの１もしくはそれ以上を克服するかもしれないが、本発明は上述のいずれの特定の不利点も克服する必要はなく、本発明のいくつかの例示的な実施形態は上述の不利点のうちのいずれも克服しないかもしれない。
【００１１】
広義に定義すると、一観点による本発明は、寝具用品のカバーを含む。前記カバーは、前記カバーに取り付けられた分離型スライドファスナーの第１のスライドファスナーテープを有する第１のカバー部分と、前記カバーに取り付けられた前記分離型スライドファスナーの第２のスライドファスナーテープを有する第２のカバー部分とを含む。前記第１のスライドファスナーテープはスライドファスナーの務歯（ｓｌｉｄｅ  ｆａｓｔｅｎｅｒ  ｔｅｅｔｈ）の第１の列と、当該スライドファスナーの務歯の第１の列の端部にある可撓性上止具とを含み、前記第２のスライドファスナーテープはスライドファスナーの務歯の第２の列と、当該スライドファスナーの務歯の第２の列の端部にある非可撓性上止具とを含む。前記カバーは、さらに、前記第１のスライドファスナーテープおよび前記第２のスライドファスナーテープに沿って操作自在に構成された単一のスライダー本体であって、前記スライドファスナーの務歯の第１の列を前記スライドファスナーの務歯の第２の列と少なくとも実質的にかみ合った配置にすることにより、前記分離型スライドファスナーを閉じた形状に配置し、寝具用品の周囲の前記第１のカバー部分を前記第２のカバー部分と組み合わせるものである、前記単一のスライダー本体を含む。前記単一のスライダー本体は、前記分離型スライドファスナーが前記閉じた形状にあるとき、前記単一のスライダー本体は、さらに、前記第１のスライドファスナーテープの前記可撓性上止具を通過して操作自在に構成されているものであり、これにより、前記第１のスライドファスナーテープまたは前記第２のスライドファスナーテープのうちの少なくとも一方に加えられる引張力によって前記スライドファスナーの務歯の第１の列が前記スライドファスナーの務歯の第２の列から分離自在となり、前記第１のカバー部分を前記第２のカバー部分から取り外すことが容易になる。
【００１２】
この態様の特徴において、前記寝具用品はベッド用のマットレスであってもよい。この態様の別の特徴において、前記寝具用品は布団クッションであってもよい。この態様のさらに別の特徴において、前記寝具用品は枕であってもよい。
【００１３】
この態様の他の特徴において、前記スライドファスナーの務歯の第１および第２の列におけるスライドファスナーの務歯はコイル型務歯であってもよく、前記分離型スライドファスナーが前記閉じた形状に配置されているとき、前記可撓性上止具は前記非可撓性上止具の位置からオフセットされた位置に配置されていてもよく、前記単一のスライダー本体は、さらに、前記第２のスライドファスナーテープの前記非可撓性上止具を通過して操作することができないように構成されていてもよく、ならびに／または前記引張力は、前記分離型スライドファスナーが前記閉じた形状にあるときに前記単一のスライダー本体が前記第１のスライドファスナーテープおよび前記第２のスライドファスナーテープに沿って操作自在である方向によって画定される軸に対して所定の角度で加えられる力であってもよい。
【００１４】
広義に定義すると、別の観点による本発明は、寝具用品のカバーの少なくとも一部分を除去する方法を含む。前記方法は、寝具用品の上部に配置された第１のカバー部分と前記寝具用品の底部に配置された第２のカバー部分とからなるカバーによって少なくとも実質的に完全に包まれた前記寝具用品を提供する工程を含む。前記第１のカバー部分は、当該カバー部分に取り付けられた分離型スライドファスナーの第１のスライドファスナーテープを含み、前記第１のスライドファスナーテープはスライドファスナーの務歯の第１の列と、当該スライドファスナーの務歯の第１の列の端部にある可撓性上止具とを含む。前記第２のカバー部分は当該カバー部分に取り付けられた前記分離型スライドファスナーの第２のスライドファスナーテープを含み、前記第２のスライドファスナーテープはスライドファスナーの務歯の第２の列と、当該スライドファスナーの務歯の第２の列の端部にある非可撓性上止具とを含む。前記スライドファスナーの務歯の第１の列は前記スライドファスナーの務歯の第２の列と少なくとも実質的にかみ合った配置にあり、それにより、前記第１のカバー部分が前記第２のカバー部分と組み合わされる。前記方法は、さらに、前記第１のスライドファスナーテープおよび前記第２のスライドファスナーテープに沿って前記分離型スライドファスナーの単一のスライダー本体を操作して当該単一のスライダー本体を前記第１のスライドファスナーテープの前記可撓性上止具に位置付ける工程と、前記単一のスライダー本体を前記第１のスライドファスナーテープの前記可撓性上止具を通過するまで引くことにより、前記単一のスライダー本体を前記第１のスライドファスナーテープから係合解除する工程と、前記第１のスライドファスナーテープおよび前記第２のスライドファスナーテープのうちの少なくとも一方に引張力を加えて前記スライドファスナーの務歯の第１の列を前記スライドファスナーの務歯の第２の列から分離させることにより、前記第１のカバー部分を前記第２のカバー部分から取り外す工程とを含む。
【００１５】
この態様の特徴において、前記寝具用品はベッド用のマットレスであってもよい。この態様の別の特徴において、前記寝具用品は布団クッションであってもよい。この態様のさらに別の特徴において、前記寝具用品は枕であってもよい。
【００１６】
この態様の別の特徴において、前記スライドファスナーの務歯の第１および第２の列におけるスライドファスナーの務歯はコイル型務歯であってもよい。
【００１７】
この態様の別の特徴において、前記単一のスライダー本体は、前記第２のスライドファスナーテープの前記非可撓性上止具を通過して操作することができないように構成することができる。この態様の別の特徴において、前記第１のカバー部分が前記第２のカバー部分から分離されているとき、前記単一のスライダー本体は前記第２のスライドファスナーテープとの係合を維持することができる。
【００１８】
この態様の別の特徴において、前記引張力を加える工程は、前記分離型スライドファスナーが閉じた形状であるときに前記単一のスライダー本体が前記第１のスライドファスナーテープおよび前記第２のスライドファスナーテープに沿って操作自在である方向によって画定される軸に対して所定の角度で引張力を加える工程を含んでいてもよい。
【００１９】
広義に定義すると、別の観点による本発明は、寝具用品のカバーの一部分を交換する方法を含む。前記方法は、寝具用品の上部に配置された第１のカバー部分と前記寝具用品の底部に配置された第２のカバー部分とからなるカバーによって少なくとも実質的に完全に包まれた前記寝具用品を提供する工程を含む。前記第１のカバー部分は当該カバー部分に取り付けられた分離型スライドファスナーの第１のスライドファスナーテープを含み、前記第１のスライドファスナーテープはスライドファスナーの務歯の第１の列と、当該スライドファスナーの務歯の該第１の列の端部にある可撓性上止具とを含む。前記第２のカバー部分は当該カバー部分に取り付けられた前記分離型スライドファスナーの第２のスライドファスナーテープを含み、前記第２のスライドファスナーテープはスライドファスナーの務歯の第２の列と、当該スライドファスナーの務歯の第２の列の端部にある非可撓性上止具とを含む。前記第１の列のスライドファスナーの務歯は前記スライドファスナーの務歯の第２の列と少なくとも実質的にかみ合った配置にあり、それにより、前記第１のカバー部分と前記第２のカバー部分が組み合わされる。前記方法は、さらに、前記第１のスライドファスナーテープおよび前記第２のスライドファスナーテープに沿って前記分離型スライドファスナーの単一のスライダー本体を操作して前記単一のスライダー本体を前記第１のスライドファスナーテープの前記可撓性上止具に位置付ける工程と、前記単一のスライダー本体を前記第１のスライドファスナーテープの前記可撓性上止具を通過するまで引くことにより、前記単一のスライダー本体を前記第１のスライドファスナーテープから係合解除する工程と、前記第１のスライドファスナーテープおよび前記第２のスライドファスナーテープのうちの少なくとも一方に引張力を加えて前記スライドファスナーの務歯の第２の列から前記スライドファスナーの務歯の第１の列を分離させることにより、前記第１のカバー部分を前記第２のカバー部分から取り外す工程と、前記取り外された第１のカバー部分を交換用の第１のカバー部分と交換する工程であって、前記交換用の第１のカバー部分は、前記第２のカバー部分における前記スライドファスナーの務歯の第２の列の務歯のピッチと一致する務歯のピッチを有するスライドファスナーの務歯を有するように構成されているものである、前記交換する工程とを含む。
【００２０】
この態様の特徴において、前記寝具用品はベッド用のマットレスであってもよい。
【００２１】
この態様の別の特徴において、前記引張力を加える工程は、前記分離型スライドファスナーが閉じた形状であるときに前記単一のスライダー本体が前記第１のスライドファスナーテープおよび前記第２のスライドファスナーテープに沿って操作自在である方向によって画定される軸に対して所定の角度で引張力を加える工程を含んでいてもよい。
【００２２】
この態様の別の特徴において、前記方法は、前記交換用の第１のカバー部分のスライドファスナーテープ上に配置された蝶棒を前記第２のカバー部分の前記第２のスライドファスナーテープ上に配置された箱で固定する工程と、前記交換用の第１のカバー部分の前記スライドファスナーテープおよび前記第２のスライドファスナーテープに沿って前記単一のスライダー本体を操作して前記交換用の第１のカバー部分のスライドファスナーの務歯の列を前記第２のカバー部分の前記スライドファスナーの務歯の第２の列と少なくとも実質的にかみ合った配置とすることにより、前記寝具用品の周囲の前記交換用の第１のカバー部分を前記第２のカバー部分と組み合わせる工程とを含むことができる。
【００２３】
広義に定義すると、別の観点による本発明は、ボートのコックピット用カバーアセンブリを含む。前記カバーアセンブリは、周辺縁部に沿って取り付けられた分離型スライドファスナーの第１のスライドファスナーテープを有する少なくとも１つのパネルからなるカバーと、前記ボートのコックピットのパネル取り付け部位の縁部に取り付けられた分離型スライドファスナーの第２のスライドファスナーテープとを含む。前記第１のスライドファスナーテープはスライドファスナーの務歯の第１の列と、当該スライドファスナーの務歯の第１の列の端部にある可撓性上止具とを含み、前記第２のスライドファスナーテープはスライドファスナーの務歯の第２の列と、当該スライドファスナーの務歯の第２の列の端部にある非可撓性上止具とを含む。前記カバーアセンブリは、さらに、前記第１のスライドファスナーテープおよび前記第２のスライドファスナーテープに沿って操作自在に構成された単一のスライダー本体であって、前記スライドファスナーの務歯の第１の列を前記スライドファスナーの務歯の第２の列と少なくとも実質的にかみ合った配置にすることにより、前記分離型スライドファスナーを閉じた形状に配置し、前記少なくとも１つのパネルを前記パネル取り付け部位と組み合わせるものである、前記単一のスライダー本体を含む。前記分離型スライドファスナーが前記閉じた形状であるとき、前記単一のスライダー本体は、さらに、前記第１のスライドファスナーテープの前記可撓性上止具を通過して操作自在に構成されており、これにより、前記第１のスライドファスナーテープまたは前記第２のスライドファスナーテープのうちの少なくとも一方に加えられる引張力によって前記スライドファスナーの務歯の第１の列が前記スライドファスナーの務歯の第２の列から分離自在となり、前記パネルを前記ボートのコックピットの前記パネル取り付け部位から取り外すことが容易になる。
【００２４】
この態様の特徴において、前記スライドファスナーの務歯の第１および第２の列におけるスライドファスナーの務歯はコイル型務歯であってもよく、前記分離型スライドファスナーが前記閉じた形状に配置されているとき、前記可撓性上止具は前記非可撓性上止具の位置からオフセットされた位置に配置されていてもよく、前記単一のスライダー本体は、前記第２のスライドファスナーテープの前記非可撓性上止具を通過して操作することができないように構成されていてもよく、ならびに／または前記引張力は前記分離型スライドファスナーが前記閉じた形状であるときに前記第１のスライドファスナーテープおよび前記第２のスライドファスナーテープに沿って前記単一のスライダー本体が操作自在である方向によって画定される軸に対して所定の角度で加えられる力であってもよい。
【００２５】
この態様の別の特徴において、前記少なくとも１つのパネルは、前記ボートのコックピットの一部分を覆うように構成することができる。この態様の別の特徴において、前記少なくとも１つのパネルは、実質的に前記ボートのコックピット全体を覆うように構成することができる。
【００２６】
この態様の別の特徴において、前記少なくとも１つのパネルは、複数のパネルを含んでもよい。
【００２７】
広義に定義すると、別の観点による本発明は、ボートのコックピットからカバーを除去する方法を含む。前記方法は、少なくとも１つのパネルからなるカバーおよびボートのコックピットのパネル取り付け部位を提供する工程を含む。前記少なくとも１つのパネルはその周辺縁部に沿って取り付けられた分離型スライドファスナーの第１のスライドファスナーテープを含み、前記第１のスライドファスナーテープはスライドファスナーの務歯の第１の列と、当該スライドファスナーの務歯の第１の列の端部にある可撓性上止具とを含む。前記ボートのコックピットの前記パネル取付け部位はその縁部に取り付けられた分離型スライドファスナーの第２のスライドファスナーテープを含み、前記第２のスライドファスナーテープはスライドファスナーの務歯の第２の列と、当該スライドファスナーの務歯の第２の列の端部にある非可撓性上止具とを含む。前記スライドファスナーの務歯の第１の列は前記スライドファスナーの務歯の第２の列と少なくとも実質的にかみ合った配置にあり、それにより、前記少なくとも１つのパネルが前記パネル取り付け部位と連結される。前記方法は、さらに、前記第１のスライドファスナーテープおよび前記第２のスライドファスナーテープに沿って前記分離型スライドファスナーの単一のスライダー本体を操作して前記単一のスライダー本体を前記第１のスライドファスナーテープの前記可撓性上止具に位置付ける工程と、前記単一のスライダー本体を前記第１のスライドファスナーテープの前記可撓性上止具を通過するまで引くことにより、前記単一のスライダー本体を前記第１のスライドファスナーテープから係合解除する工程と、前記第１のスライドファスナーテープおよび前記第２のスライドファスナーテープのうちの少なくとも一方に引張力を加えて前記スライドファスナーの務歯の第２の列から前記スライドファスナーの務歯の第１の列を分離させることにより、前記パネル取り付け部位から前記少なくとも１つのパネルを離させ、前記ボートのコックピットから前記カバーを除去することを容易にする工程とを含む。
【００２８】
この態様の特徴において、前記スライドファスナーの務歯の第１および第２の列におけるスライドファスナーの務歯はコイル型務歯であってもよい。
【００２９】
この態様の別の特徴において、前記単一のスライダー本体は、前記第２のスライドファスナーテープの前記非可撓性上止具を通過して操作することができないように構成することができる。この態様の別の特徴において、前記少なくとも１つのパネルが前記パネル取り付け部位から分離されているとき、前記単一のスライダー本体は前記第２のスライドファスナーテープとの係合を維持する。
【００３０】
この態様の別の特徴において、前記引張力を加える工程は、前記分離型スライドファスナーが閉じた形状であるときに前記単一のスライダー本体が前記第１のスライドファスナーテープおよび前記第２のスライドファスナーテープに沿って操作自在である方向によって画定される軸に所定の角度で引張力を加える工程を含んでいてもよい。
【００３１】
この態様の別の特徴において、前記少なくとも１つのパネルは、前記ボートのコックピットの一部分を覆うように構成することができる。この態様の別の特徴において、前記少なくとも１つのパネルは、実質的に前記ボートのコックピット全体を覆うように構成することができる。
【００３２】
この態様の別の特徴において、前記少なくとも１つのパネルは、複数のパネルを含んでもよい。
【００３３】
以下に提供する詳細な説明から、本発明の利用可能性のさらなる領域が明白となるであろう。本発明の好適な実施形態を示す際の詳細な説明および具体的な例は、例証の目的としてのみ意図されており、本発明の範囲を限定することは意図されていないことを理解すべきである。
【図面の簡単な説明】
【００３４】
図面を参照する以下の詳細な説明から、本発明の更なる特徴、実施形態、および利点が明白となるであろう。
【図１】図１は、可撓性上止具近傍にあるスライダー本体と共に示された、本発明の１もしくはそれ以上の観点に係る分離型スライドファスナーの斜視図である。
【図２】図２は、可撓性上止具に配置されたスライダー本体と共に示された、図１の分離型スライドファスナー の斜視図である。
【図３】図３は、可撓性上止具を通過して引かれているスライダー本体と共に示された、図１の分離型スライドファスナーの斜視図である。
【図４Ａ】図４Ａ〜４Ｄは、図１の分離型スライドファスナーを組み込んだ２ピースマットレスカバーによって包まれたマットレスの斜視図である。
【図４Ｂ】図４Ａ〜４Ｄは、図１の分離型スライドファスナーを組み込んだ２ピースマットレスカバーによって包まれたマットレスの斜視図である。
【図４Ｃ】図４Ａ〜４Ｄは、図１の分離型スライドファスナーを組み込んだ２ピースマットレスカバーによって包まれたマットレスの斜視図である。
【図４Ｄ】図４Ａ〜４Ｄは、図１の分離型スライドファスナーを組み込んだ２ピースマットレスカバーによって包まれたマットレスの斜視図である。
【図５Ａ】図５Ａは、図１の分離型スライドファスナーを組み込んだボートのコックピット用カバーによって部分的に覆われたボートの斜視図である。
【図５Ｂ】図５Ｂおよび５Ｃはボートのコックピット用カバーを開く方法を図示した、図５Ａのボートの背面図である。
【図５Ｃ】図５Ｂおよび５Ｃはボートのコックピット用カバーを開く方法を図示した、図５Ａのボートの背面図である。
【発明を実施するための形態】
【００３５】
前付けとして、本発明が広範な有用性および用途を有することは、当該技術分野において通常の技能を有するもの（「当業者」）によって容易に理解されるであろう。さらに、「好適」であるとして詳論され識別される任意の実施形態は、本発明を実施するために想到される最良の態様の一部であるとみなされる。その他の実施形態もまた、本発明の完全かつ実施可能な開示を提供するうえでの追加の例証的な目的のために詳論される場合がある。任意の実施形態が上記に開示の本発明の観点のうちの１つのみまたは複数を組み入れることができ、さらに上記に開示の特徴のうちの１つのみまたは複数を組み入れることができることを理解すべきである。さらに、改造、変型、修正、および等価の構成などの多くの実施形態が、本明細書内に説明されている実施形態によって黙示的に開示され、本発明の範囲内に含まれるであろう。
【００３６】
したがって、本明細書内で１もしくはそれ以上の実施形態に関して本発明が詳細に説明されるものの、本開示は本発明を例証および例示するものであり、本発明の完全かつ実施可能な開示を提供する目的のためにのみなされていることを理解すべきである。本明細書内の１もしくはそれ以上の実施形態の詳細な開示は、本発明に付与される特許保護の範囲を限定することが意図されておらず、あるいは然るべく解釈されるべきではなく、その範囲は、その請求項およびその等価物によって定義されるべきである。本発明に付与される特許保護の範囲は、任意の請求項自体には明確に表現されていない本明細書内に見られる限定を、前記請求項から読み取ることによって定義することは意図されていない。
【００３７】
したがって、例えば、本明細書内に記載されている種々の過程または方法の工程の一切のシーケンスおよび／または時間順序は、例証的であって制限的ではない。したがって、種々の過程または方法の工程があるシーケンスまたは時間順序であるとして図示され説明されている場合があるものの、一切のこのような過程または方法の工程は、別途指示がない限り、一切の特定のシーケンスまたは順序で実施されることに限定されないことを理解すべきである。実際に、一般的にこのような過程または方法の工程は、様々な異なるシーケンスおよび順序で実施しながらも、なお本発明の範囲内に収まることができる。したがって、本発明に付与される特許保護の範囲は、本明細書内に記述された説明によってではなく、添付の請求項によって定義されるべきであることが意図されている。
【００３８】
さらに、本明細書内で使用される各用語は、当該用語が本明細書内の当該用語の文脈上の使用に基づいて、当業者が意味すると理解するであろうものを指すことに留意することが重要である。本明細書内で使用される用語の、文脈上の使用に基づいて当業者が理解する意味が、任意の特定の辞書による当該用語の定義と多少なりとも異なる範囲において、当業者が理解するとおりの前記用語の意味が優先されるべきであることが意図されている。
【００３９】
米国特許法第１１２条６項の適用性に関して、いずれの請求項要素も、当該請求項要素内で「の手段」または「の工程」という明確な表現が実際に使用されている場合は当該請求項要素の解釈にこの法定条項が適用されることが意図されるが、さもない場合は、この法定条項に従って読解されるべきではない。
【００４０】
さらに、本明細書内で使用されるに際して、「ａ」、［ａｎ」は、各々、一般的には「少なくとも１つ」を意味し、その文脈上の使用がその外の意味を規定しない限り複数性を排除しないことに留意することが重要である。したがって、「りんごを有するピクニックバスケット」への言及は、「少なくとも１つのりんごを有するピクニックバスケット」ならびに「複数のりんごを有するピクニックバスケット」を説明している。これに対して、「１個のりんごを有するピクニックバスケット」への言及は、「１個のりんごのみを有するピクニックバスケット」を説明している。
【００４１】
本明細書内で項目のリストを接続する場合に使用される「または」／「もしくは」は、「前記項目のうちの少なくとも１つ」を意味するが、前記リスト内の複数の項目を排除しない。したがって、「チーズまたはクラッカーを有するピクニックバスケット」への言及は「クラッカーを有せずにチーズを有するピクニックバスケット」、「チーズを有せずにクラッカーを有するピクニックバスケット」、および「チーズおよびクラッカーの両方を有するピクニックバスケット」を説明している。最後に、本明細書内で項目のリストを接続する場合に使用される「および」／「ならびに」は、「前記リスト内の項目のすべて」を意味する。したがって、「チーズおよびクラッカーを有するピクニックバスケット」への言及は、「チーズを有するピクニックバスケットであって、該ピクニックバスケットは、クラッカーをさらに有する、ピクニックバスケット」を説明すると共に「クラッカーを有するピクニックバスケットであって、該ピクニックバスケットは、チーズをさらに有する、ピクニックバスケット」を説明している。
【００４２】
では次に、いくつかの図を通じて同様の数字が同様の構成要素を表す図面を参照しながら、本発明の１もしくはそれ以上の好適な実施形態を説明する。１もしくはそれ以上の好適な実施形態の以下の説明は、単に例証的な性質のものであり、決して本発明、その適用、または用途を限定することは意図されていない。
【００４３】
図１は、可撓性上止具１１２近傍にあるスライダー本体１２０と共に示された、本発明の１もしくはそれ以上の観点に係る分離型スライドファスナー１００の斜視図である。前記スライダー本体１２０は引手（図示せず）を含むことが想到されるものの、引手は、前記スライダー本体１２０を操作自在とするために必ずしも必要ではない。図１に示すように、前記スライドファスナー１００は、１対のスライドファスナーテープ１０１、１０２を含み、当該テープの各々は、当該テープに取り付けられた、かみ合うスライドファスナーの務歯１１５、１１６の列を有する。想到される実施形態において、前記スライドファスナーの務歯１１５、１１６はコイル型務歯である。スライダー本体１２０は、前記スライドファスナーテープ１０１、１０２に沿って位置しており、前記スライドファスナーの務歯１１５、１１６を従来の方法で閉じまたは開くために前記スライドファスナーテープ１０１、１０２に沿って操作されるように構成されている。
【００４４】
図１に示すように、前記スライドファスナー１００は、前記１対のスライドファスナーテープ１０１、１０２の第１の端部に配置された１対の上止具１１０、１１２をさらに含む。この１対の上止具１１０、１１２は、第１のスライドファスナーテープ１０１の端部に配置された可撓性上止具１１２と、第２のスライドファスナーテープ１０２の同じ端部に配置された非可撓性上止具１１０とを含んでいる。下記により詳細に説明するように、前記可撓性上止具１１２は、分離型のものである。この点において、前記第１のスライドファスナーテープ１０１上に配置された前記可撓性上止具１１２は、通常の動作条件下では前記スライダー本体１２０が前記可撓性上止具１１２を乗り越えて移動することを防止するように動作するが、より大きな所定の力が加えられた場合には前記スライダー本体１２０が前記可撓性上止具１１２を乗り越えて移動することを可能とする。前記可撓性上止具１１２は、一般的に、より大きな所定の力が加えられたときに前記スライダー本体１２０がこれを乗り越えて通過することを可能とする形状の、成形プラスチック材料などの可撓性の要素を含んでいる。前記第２のスライドファスナーテープ１０２上に配置された前記非可撓性上止具１１０は、通常よりも大きな操作力が加えられた場合においても、前記スライダー本体１２０が前記第２のスライドファスナーテープ１０２から外れることを防止するように動作する。
【００４５】
図１にさらに示すように、前記スライドファスナー１００は、前記１対のスライドファスナーテープ１０１、１０２の第２の端部に配置された蝶棒・箱アセンブリをさらに含む。前記蝶棒・箱アセンブリの蝶棒１０３は前記第１のスライドファスナーテープ１０１の（前記可撓性上止具１１２が位置する前記端部とは反対側の）端部に配置されており、前記蝶棒・箱アセンブリの箱１０４は前記第２のスライドファスナーテープ１０２の同じ（前記非可撓性上止具１１０が位置する前記端部とは反対側の）端部に配置されている。
【００４６】
前記スライドファスナー１００を組み立てる工程によれば、前記スライドファスナーの務歯のピッチ（即ち、かみ合ったスライドファスナーの務歯の対の間の距離）は、正確である。このような精度の理由の一つは、下記に詳述するように、製造工程に起因する。コイル型スライドファスナーの務歯を有するスライドファスナーを製造する方法において、前記スライドファスナーの務歯は、２つの同一のテープをコイル形成装置内に給送することにより形成されるが、このとき、２つのポリエステル製モノフィラメントがらせん形状に形成され、次に、２つのテープに同時に縫い付けられる。この工程により、前記コイル形成装置から送出されたとき、かみ合ったスライドファスナーの務歯の列を各々有する２つのスライドファスナーテープができる。
【００４７】
次に、一定長のスライドファスナーの務歯が前記スライドファスナーテープから取り除かれて間隙区間が形成され、前記かみ合ったスライドファスナーテープ（しばしばジッパーチェーンと呼ばれる）に間隙が形成される。ジッパーチェーンに一定の間隔で間隙を形成し、ジッパーチェーンの内部に複数の間隙区間を作ることができることが想到される。具体的には、スライドファスナーの完成品の所望の長さに基づいた間隔でジッパーチェーンに間隙を作ることができることが想到される。
【００４８】
次に、前記ジッパーチェーンの間隙区間にフィルムを貼合することができる。スライダー本体を前記ジッパーチェーンを介してその一方の端部から（少なくとも短い距離）引き、前記ジッパーチェーンをフィルムが貼合された区間に最も近い位置で切断し、単一のスライダー本体を取り付けたスライドファスナーを形成することができる。
【００４９】
前記１対のスライドファスナーテープの一方の端部に上記に詳述した上止具を取り付けることができ、前記１対のスライドファスナーテープの他方の端部に上記に詳述した蝶棒・箱アセンブリを取り付けることができる。具体的には、切断された前記ジッパーチェーンを成型装置に挿入して、前記可撓性上止具および前記非可撓性上止具を前記ジッパーチェーン上に成型することができる。切断された前記ジッパーチェーンの他方の端部のフィルムが貼合された区間に前記蝶棒・箱アセンブリを（前記スライドファスナーテープのうちの一方の貼合された端部に前記蝶棒を取り付け、他方の前記スライドファスナーテープの貼合された同じ端部に前記箱を取り付けて）取り付けることができる。
【００５０】
図１に戻って、前記スライドファスナー１００は、前記スライダー本体１２０が前記チェーンに沿って前記上止具１１０、１１２近傍の位置まで引かれ、部分的に閉じた状態で示されている。前記スライドファスナーの務歯１１５、１１６は、前記スライダー本体１２０の上部よりもわずかに先の方に位置して相互にごく近接して示されている。前記スライダー本体１２０を前記可撓性上止具１１２の方向に向かってさらに引くと、下記に詳述するように、前記スライドファスナー１００が完全に閉じた位置に至り、各スライドファスナーテープ１０１、１０２の前記スライドファスナーの務歯１１５、１１６が完全に噛合する。
【００５１】
図２は、前記可撓性上止具１１２に配置された前記スライダー本体１２０と共に示された、図１の分離型スライドファスナー１００の斜視図である。図２に示すように、前記スライダー本体１２０は完全に閉じた位置まで操作されており、これにより各スライドファスナーテープ１０１、１０２の前記スライドファスナーの務歯１１５、１１６は完全に噛合している。完全に閉じた位置において、前記スライダー本体１２０は（図２では前記スライダー本体１２０によって隠れている）前記可撓性上止具１１２の位置に配置されている。前記完全に閉じた位置において、前記可撓性上止具１１２は前記スライダー本体１２０内に配置されることが想到される。前記第２のスライドファスナーテープ１０２上の非可撓性上止具１１０は、前記スライダー本体１２０に隣接しながらもその外側に見てとれる。
【００５２】
前記可撓性上止具１１２および前記非可撓性上止具１１０は、それぞれの前記スライドファスナーテープ１０１、１０２の長さに沿って異なる位置に配置されていることに留意すべきである。具体的には、図２に示すように、前記可撓性上止具１１０（訳者注１）が前記第１のスライドファスナーテープ１０１の最近端部に対して配置される位置よりも、前記非可撓性上止具１１０が前記第２のスライドファスナーテープ１０２の最近端部に対して配置されている位置の方がより近い。この点において、図２に示すように、前記スライダー本体１２０が前記可撓性上止具１１２に位置しているとき、前記スライダー本体１２０の上部と前記非可撓性上止具１１０との間に間隙１１４が存在する。
【００５３】
図３は、前記可撓性上止具１１２を通過して引かれている前記スライダー本体１２０と共に示された、図１の分離型スライドファスナー１００の斜視図である。図３に示すように、前記スライダー本体１２０は、図に関連して説明した完全に閉じた位置を通過して操作されている。前記非可撓性上止具１１０が前記スライダー本体１２０が外れることを防止するので、前記スライダー本体１２０は前記第２のスライドファスナーテープ１０２に取り付けられた状態で維持される。
【００５４】
図３にさらに示すように、前記可撓性上止具１１２は前記スライダー本体１２０を通過して完全に引かれているので（訳者注２）、この時点では視認可能である。前記スライドファスナーの務歯１１５、１１６の大部分は噛合したままであるものの、前記スライドファスナーテープ１０１、１０２間の隙間１２４が開いており、前記スライドファスナーの務歯１１５、１１６のうちのいくつかが引き離されていることが見て取れる。前記スライダー本体１２０が前記可撓性上止具１１２を通過して（および前記第１のスライドファスナーテープ１０１上の最後のスライドファスナーの務歯１１５も通過して）引かれているので、この時点では、前記スライドファスナーテープ１０１、１０２を相互から引き離すことにより残りのスライドファスナーの務歯を「一気に分離させる（ｂｕｒｓｔ）」ことが可能である。想到される実施形態において、前記スライドファスナーの務歯１１５、１１６は、前記スライドファスナーテープ１０１、１０２を僅かに傾けて相互から引き離すことにより一気に分離させることができる。前記スライドファスナーテープが（前記スライダーファスナー（訳者注３）１００が閉じているときに前記スライドファスナーテープ１０１、１０２がそうであるように）互いに実質的に平行であるときにはスライドファスナーは一般的に高い横方向引張強さを有する一方、前記スライドファスナーテープが平行でないときにはスライドファスナーは一般的に非常に低い横方向強さを有する。この結果、前記スライドファスナーテープ１０１、１０２が（前記スライドファスナー１００が閉じた形状にあるときの）前記スライダー本体１２０の動作の方向によって画定される軸に対して僅かに傾けて相互から引き離されると、前記スライドファスナーの務歯１１５、１１６を容易に一気に分離させることができる。
【００５５】
上述のように、前記スライダー本体１２０を前記スライドファスナーテープ１０１、１０２の長さに沿って操作する必要なく、前記分離型スライドファスナー１００を素早く開くことができることが想到される。前記スライドファスナーの務歯１１５、１１６が一旦完全に分離してしまうと、前記スライドファスナー１００は完全に開き、前記スライドファスナーテープ１０１、１０２を相互から完全に分離することができる。前記スライドファスナーテープ１０１、１０２が分離した後、前記スライダー本体１２０は、前記非可撓性上止具１１０および前記蝶棒・箱アセンブリの箱１０４を有する前記スライドファスナーテープ１０２に取り付けられたままとなる。
【００５６】
前記スライドファスナー１００は、壊れたりまたはその他の損傷を被ることなく複数回開いたり閉じ直したりすることができることが、さらに想到される。この点において、前記スライダー本体１２０は、（それが依然として取り付けられている）前記スライドファスナーテープ１０２に沿って、前記蝶棒・箱アセンブリの箱１０４の方向に引くことができる。他方のスライドファスナーテープ１０１は前記スライドファスナーテープ１０２に隣接して配置することができ、前記蝶棒・箱アセンブリの蝶棒１０３は前記スライダー本体１２０の中を通って前記蝶棒・箱アセンブリの箱１０４内に挿入することができる。このとき、前記スライダー本体１２０は、両方のスライドファスナーテープ１０１、１０２に沿って操作して前記スライドファスナーの務歯１１５、１１６を相互に噛合配置とすることにより前記スライドファスナーテープ１０１、１０２を相互に締結する準備が整っている。前記スライドファスナー１００を閉じ直すには、前記スライダー本体１２０を（図１に示すように）前記スライドファスナーテープ１０１、１０２に沿って前記可撓性上止具１１２の方向に最後まで、しかし前記可撓性上止具１１２を通過しないように引けばよく、これにより、前記スライドファスナー１００が再度完全に閉じた状態となる。
【００５７】
ここまでで理解できるように、図１〜３に関連して説明した前記分離型スライドファスナー１００は幅広い範囲にわたる消費者製品において有用性を有し、これらのうちの多くは、マットレスカバー、ボート用または自動車用カバーなどのような大規模用途であるとみなすことができる。さらに、前記分離型スライドファスナー１００の使用により構成要素部品（例えば前記スライダー本体１２０または前記スライドファスナーの務歯１１５、１１６）の破損または損傷が生じる可能性が低いので、前記スライドファスナー１００は複数回開いたり閉じ直したりすることができる。
【００５８】
想到される一用途において、前記分離型スライドファスナー１００は、ベッド用のマットレスのような寝具用品のクロージャーとして使用することができる。この点において、図４Ａ〜４Ｄは、図１の分離型スライドファスナー１００を組み込んだ２ピースマットレスカバー２２１、２２２によって包まれたマットレス２２５の斜視図である。想到される他の実施形態において、前記分離型スライドファスナー１００は、例えば布団クッションに使用される布団カバーまたは大型の枕に使用される枕カバーのように、その他の寝具用品のクロージャーとして使用することができる。
【００５９】
図４Ａ〜４Ｄに図示したマットレス２２５のような大きな品物を覆うためには、一般的に、非常に長いスライドファスナーを使用する必要がある。想到されるいくつかの実施形態（例えばキングサイズのマットレス用のマットレスカバーなど）において、前記スライドファスナーは、３００インチ（７６２ｃｍ）を超える長さを有することができる。大規模用途向けの本発明の分離型スライドファスナー１００の使用により、従来のスライドファスナーに勝る利点が提供される。例えば、ユーザーが従来のスライドファスナーを使用しているマットレスから前記マットレスカバーを除去する必要がある場合、前記マットレスの周囲全周にわたって前記スライダー本体を操作できるようにするためには、前記ユーザーは、前記マットレスのすべての側面に障害なくアクセスできるようにせざるを得ない。このことは、相互に反対方向に動作する２個のスライダー本体を有するスライドファスナーを利用するマットレスカバーについても同じである。
【００６０】
しかし、図１〜３に関連して上述した分離型スライドファスナー１００を使用すれば、前記ユーザーは、前記マットレス２２５のすべての側面にアクセスする必要なく前記マットレスカバーの上半分を解いて除去することができる。具体的には、本発明の分離型スライドファスナー１００を用いれば、ユーザーは、下記により詳しく説明するように、前記マットレスの１つの側面の前記スライダー本体１２０が位置している部分にアクセスするだけでよいかもしれないことが想到される。
【００６１】
図４Ａ〜４Ｃを参照すると、前記分離型スライドファスナー１００を使用してマットレスカバーを従来のマットレス２２５の周りに閉じる方法を理解することができる。図４Ａを参照すると、マットレスカバーの半分ずつ２２１、２２２の２枚の間に配置された従来のマットレス２２５が示されている。具体的には、マットレスカバーの下半分２２２の上に前記マットレス２２５が位置しており、前記マットレス２２５の上にマットレスカバーの上半分２２１が置かれている。前記マットレスカバーを最初に組み立てるとき、前記スライドファスナー１００の一方のスライドファスナーテープ１０１を前記マットレスカバーの上半分２２１の周辺縁部に縫い付け、ないしは別の方法で取り付けることができる。同様に、前記スライドファスナー１００の他方のスライドファスナーテープ１０２を前記マットレスカバーの下半分２２２の周辺縁部に縫い付け、ないしは別の方法で取り付けることができる。
【００６２】
注目すべきは、図４Ａ〜４Ｄに図示した実施形態において、前記可撓性上止具１１２は前記マットレスカバーの上半分２２１に取り付けられた前記スライドファスナーテープ１０１上に配置されており、前記非可撓性上止具１１０は前記マットレスカバーの下半分２２２に取り付けられた前記スライドファスナーテープ１０２上に配置されていることである。同様に、前記スライドファスナー１００の前記スライダー本体１２０は、前記マットレスカバーの下半分２２２に取り付けられた前記スライドファスナーテープ１０２上に取り付けられている。この点において、前記マットレスカバーの上半分１０１（訳者注４）を前記マットレス２２５の上から取り去った直後に比較的容易に洗濯することができ、（前記マットレスカバー上半分２２１を洗濯している間、前記スライダー本体１２０は前記下半分２２２に取り付けられたままなので）前記スライダー本体１２０が破損または損傷するリスクが小さい。想到される他の実施形態において、前記スライドファスナーテープ１０１、１０２を逆にして、前記スライドファスナーテープ１０１を前記マットレスカバーの下半分２２２に取り付け、前記スライドファスナーテープ１０２を前記マットレスカバーの上半分２２１に取り付けることもできる。図４Ａにさらに示すように、少なくともいくつかの実施形態において、前記スライダー本体１２０は、選択的に引手１１３を含むことができる。
【００６３】
図４Ａをさらに参照して、一方のスライドファスナーテープ１０１の前記蝶棒１０３を、前記スライダー本体１２０の中を通して前記他方のスライドファスナーテープ１０２の前記箱１０４内に挿入することができる。前記蝶棒１０３を前記箱１０４内に正しく収容した時点で、前記スライドファスナー１００を閉じる準備が整い、これにより前記マットレス２２５の周りに前記マットレスカバーを閉じることができる。
【００６４】
ここで図４Ｂおよび４Ｃを参照すると、前記マットレス２２５の周りに前記マットレスカバーを閉じるために、前記分離型スライドファスナー１００が閉じている。前記スライドファスナー１００を閉じるために、前記スライダー本体１２０は、前記スライダー本体１２０が前記可撓性上止具１１２と接するまで（図４Ｂおよび４Ｃに示すように前記マットレス２２５を上から見たときの）時計方向に引かれる。図４Ｂでは、前記スライドファスナー１００は、ほぼ完全に閉じられた状態で示されている。前記スライダー本体１２０が前記スライドファスナーテープ１０１、１０２のほぼ全長にわたって操作されており、これにより前記スライドファスナーの務歯がかみ合った配置にあり、前記スライドファスナーテープ１０１、１０２が相互に締結されている。図４Ｃでは、前記スライドファスナー１００は完全に閉じ、前記スライダー本体１２０が （図４Ｃでは前記スライダー本体１２０によって隠れている）前記可撓性上止具に位置した状態で示されている。
【００６５】
ここで図４Ｄを参照すると、前記分離型スライドファスナー１００を使用してマットレスカバーの上半分２２１を解いて分離する方法を理解することができる。前記マットレスカバーの上半分２１２（訳者注５）を解いて分離するために、上述の過程を逆行することができる。しかし、前記分離型スライドファスナー１００の前記可撓性上止具１１２によって、上述の過程を逆行する必要がなくなる。前記マットレスカバーの上半分２１２（訳者注５）を解くために、前記可撓性上止具１１２を有する前記スライドファスナーテープ１０１に前記スライダー本体１２０がもはや取り付けられていなくなるように、前記可撓性上止具１１２を通過するまで前記スライダー本体１２０が引かれる。そうすることにより、前記スライドファスナーテープ１０１、１０２間に、前記スライドファスナーの務歯がもはや相互にかみ合っていない隙間を生じさせることができる。次に、（前記スライドファスナーテープ１０１を含む）前記マットレスカバーの上半分２２１を（前記スライドファスナーテープ１０２および前記スライダー本体１２０を含む）前記マットレスカバーの下半分２２２から僅かに傾けて引けばよい。その際、前記スライドファスナーの務歯の残りを相互から素早く離脱させることができ、前記マットレスカバーの上半分２２１は、前記マットレスカバーの下半分２２２にはもはや取り付けられていなくなる。
【００６６】
好都合なことに、分離の過程を開始するためには、最終消費者は、前記スライダー本体１２０を、前記可撓性上止具１１２を非常に短い距離（通常は数分の１インチ以下の長さ）だけ通過して引くだけでよい。前記分離の過程が一旦開始されると、前記最終消費者は、前記マットレスカバーの上半分２２１を前記下半分２２２および前記マットレス２２５から単に引き離すだけで前記スライドファスナーの務歯を前記スライドファスナー１００の全長に沿って一気に分離させることができる。その後、分離された前記マットレスカバーの上半分２２１を完全に除去することができる。想到されるいくつかの実施形態において、前記マットレスカバーの上半分２２１を洗濯した後に前記マットレスカバーの下半分２２２と閉じ直すことができる。想到されるその他の実施形態において、前記マットレスカバーの上半分２２１を代用のマットレスカバーの上半分と交換することができる。前記マットレスカバーの上半分２２１を代用のマットレスカバーの上半分で交換する実施形態において、前記代用の上半分のスライドファスナーの務歯は、既存のマットレスカバーの下半分２２２と同じピッチを有するように構成すべきである。この点において、前記最終消費者は、前記代用のマットレスカバーの上半分を前記既存のマットレスカバーの下半分２２２と確実に正しく?み合わせることができる。
【００６７】
ここまでのところで、好都合なことに、本発明の分離型スライドファスナー１００が、前記最終消費者が前記解く過程を前記マットレス２２５の長さに沿う単一の場所（即ち、前記スライダー本体１２０の場所）から始めることを可能とすることが明確となった筈である。前記スライダー本体１２０が一旦前記可撓性上止具１１２を通過して移動しすると、前記最終消費者は、単に前記スライドファスナーテープ１０１、１０２を引き離して前記解く過程を完了する。前記最終消費者は前記過程を完了するために前記スライダー本体１２０をそれ以上操作する必要がないので、前記マットレス２２５の１つの側面の非常に小さな部分よりも広い部分へのアクセスを有する必要を排除することができる。
【００６８】
想到される別の応用において、前記分離型スライドファスナー１００は、ボートのコックピット用カバー３３２のクロージャーとして使用することができる。この点において、図５Ａは、図１の分離型スライドファスナー１００を組み込んだボートのコックピット用カバー３３２によって部分的に覆われたボート３３０の斜視図であり、図５Ｂおよび５Ｃは、前記ボートのコックピット用カバー３３２を開く方法を図示した、図５Ａのボード３３０の背面図である。
【００６９】
ボートのコックピット用カバーは、様々な異なるサイズおよび／または形状の中から任意のものを有するように製造することができ、多くの場合、カバーは特定のボートのモデルに合わせて製造される。そのサイズおよび被覆範囲の故に、ボートのコックピット用カバーは、前記ボートのコックピットを覆って所定の位置に固定することが非常に難しいことが多い。さらに、蝶棒と張っていないボート用カバーに発生するかもしれない風害を防止するために、ボート用カバーは非常に蝶棒と張ってフィットすることが望ましい。加えて、ボート用カバーは通常、激しい温度および湿度の変動に晒されており、このことは、このようなカバーの設計者にとって、ぴったりと張ってフィットさせることをさらに困難にする。多くの場合、前記カバーは実質的に前記ボートのコックピットエリア全体に及ぶので、前記カバーを前記ボートに固定し、またはこれを前記ボートから解くときにユーザーが立てる余地がほとんど残っていない。図５Ａ〜５Ｃに示すように、前記ボートのコックピットエリアを覆うボートのコックピット用カバー３３２の取り付けは、図１〜３に関連して上述した分離型スライドファスナー１００を使用することにより簡素化することができる。
【００７０】
本発明の分離型スライドファスナーを利用した例示的なボートのコックピット用カバーは、一般的に、１もしくはそれ以上の分離型スライドファスナーを使用して前記ボートのコックピットエリアを覆って所定の位置に固定することのできる１もしくはそれ以上のパネルを含んでいる。このようなボートのコックピット用カバー３３２を図５Ａ〜５Ｃに図示する。図５Ａに示すように、中央パネル３３４が、分離型スライドファスナー１００を使用して２枚の隣接するパネル３３５、３３６および天蓋３３８に固定されている。パネル３３４、３３５、３３６は、一般的に、透明なビニール材などの透明な材料または帆布材などの不透明な材料でできている。想到される実施形態において（図５Ａ〜５Ｃに図示）、前記中央パネル３３４は、３辺に沿ったスライドファスナー１００を用いて前記２枚の隣接するパネル３３５、３３６および前記天蓋３３８に固定されており、前記中央パネル３３４は、複数のスナップファスナー３４０を用いてその底辺で前記ボート３３０に取り付けられている。前記中央パネル３３４はすべての辺にスライドファスナー１００を用いて固定できることがさらに想到され、このことは他のボートのモデルに適している場合がある。
【００７１】
前記ボートのコックピットエリアを覆って前記中央パネル３３４を所定位置に固定する過程は、 図４Ａ〜４Ｄに関連して上述した過程を反映している。ここでは、一方のスライドファスナーテープは前記中央パネル３３４の３辺に取り付けられており、他方のスライドファスナーテープは前記隣接するパネル３３５、３３６および前記天蓋３３８の隣接縁部に取り付けられている。前記中央パネル３３４を閉じるために、前記スライドファスナーテープのうちの一方に配置された蝶棒がスライダー本体１２０に挿通され、他方のスライドファスナーテープ上に配置された箱内に収容される。次に、前記スライダー本体１２０を前記隣接するパネルの一方３３６の隣接縁部に沿って上方に引き上げ、前記天蓋３３８の隣接縁部を横切り、その後他方の隣接するパネル３３５の隣接縁部に沿って下方に、前記スライダー本体１２０が前記スライドファスナーテープのうちの一方の上に配置された可撓性上止具に達するまで引き下げればよい。前記中央パネル３３４の底辺は、前記スナップファスナー３４０を用いて前記ボート３３０に対して所定の位置に留めることができる。前記スライダー本体１２０が前記可撓性上止具に達し、前記スナップファスナー３４０が留められた時点で、前記ボートのコックピット用カバー３３２の前記中央パネル３３４は、図５Ａおよび５Ｂに示すように完全に閉じた状態となる。
【００７２】
図５Ｃを参照すると、ユーザーが前記ボートのコックピットエリア３４２の内部から前記固定する過程を開始することを選択できることが想到される。この際、前記ユーザーは、前記ボートのコックピットエリア３４２内にいながら、前記蝶棒を前記箱内に収容し、前記スライドファスナーテープに沿って前記スライダー本体１２０の操作を開始することができる。次に、前記ユーザーは、ある特定の位置（おそらく前記スライダー本体を前記開口部の半周まで操作するなど）に達した時点で前記ボートのコックピットエリア３４２の外側へとボートレール、ドック、またはランディングエリアに出、その後、前記可撓性上止具に達したところで前記スライダー本体１２０の操作を完了することができる。前記ユーザーがこのようにして前記中央パネル３３４を固定することを容易にするために、前記スライダー本体１２０を、その両側に引手を有するように構成できることが想到される。
【００７３】
前記中央パネル３３４を解いて分離するために、上述の過程を逆行することができる。しかし、前記分離型スライドファスナー１００の前記可撓性上止具によって、上述の過程を逆行する必要がなくなる。多くの場合、一般的なボート用カバーのぴったりと張ったフィットは前記カバーが完全に閉じられているときにのみ得られるが、完全に閉じる前にはかなりの緩みがある場合がある。このため、前記カバーが部分的に緩められているときにはスライドファスナーのスライダー本体を押すことが困難なことから、上述の過程を逆行することによりカバーを解くことが難しい場合がある。図４Ａ〜４Ｄに関連して上述した方法と同様に、前記中央パネル３３４を解くためには、前記可撓性上止具を有する前記スライドファスナーテープに前記スライダー本体１２０がもはや取り付けられていなくなるように、前記スライダー本体１２０を前記可撓性上止具を通過するまで引くだけでよい。そうすることにより、前記スライドファスナーテープ間に、前記スライドファスナーの務歯がもはや相互にかみ合っていない隙間を生じさせることができる。次に、（前記スライドファスナーテープのうちの一方を含む）前記中央パネル３３４を、前記隣接するパネル３３５、３３６および前記天蓋３３８に取り付けられている他方のスライドファスナーテープから僅かに傾けて引けばよい。その際、前記スライドファスナーの務歯の残りを相互から素早く離脱させることができ、前記中央パネル３３４を （図５Ｃに示すように）完全に分離することができ、前記ドックまたは前記ボートのコックピットエリア３４２に保管することができる。
【００７４】
好都合なことに、分離の過程を開始するためには、ユーザーは、前記スライダー本体１２０を、前記可撓性上止具１１２を非常に短い距離（通常は数分の１インチ以下の長さ）だけ通過して引くだけでよい。前記分離の過程が一旦開始されると、前記ユーザーは、単に前記中央パネル３３４を僅かに傾けて引くだけで前記スライドファスナーの務歯を前記スライドファスナー１００の全長に沿って一気に分離させることができる。
【００７５】
前述の情報に基づいて、当業者であれば、本発明が広い範囲にわたって利用および適用できることが容易に理解できるであろう。本明細書内で具体的に説明したもの以外に本発明の多くの実施形態および改造ならびに多くの変型、修正、および等価の構成が、本発明およびその前述の説明から明白となり、またはこれらによって、本発明の本質または範囲から逸脱することなく合理的に連想されるであろう。
【００７６】
したがって、本明細書内で１もしくはそれ以上の好適な実施形態に関して本発明が詳細に説明されているものの、本開示は本発明を例証および例示するのみであり、ただ単に本発明の完全かつ実施可能な開示を提供する目的のためになされていることを理解すべきである。前述の開示において、本発明を限定し、またはその他の方法でその他任意の実施形態、改造、変型、修正、もしくは等価の構成を排除すると解釈することは意図されておらず、本発明は、本明細書に添付された請求項およびその等価物によってのみ限定される。
【図１】
2017529167.tif 000003
【図２】
2017529167.tif 000004
【図３】
2017529167.tif 000005
【図４Ａ】
2017529167.tif 000006
【図４Ｂ】
2017529167.tif 000007
【図４Ｃ】
2017529167.tif 000008
【図４Ｄ】
2017529167.tif 000009
【図５Ａ】
2017529167.tif 000010
【図５Ｂ】
2017529167.tif 000011
【図５Ｃ】
2017529167.tif 000012
【国際調査報告】
2017529167.tif 000013
2017529167.tif 000014
2017529167.tif 000015